(57)【要約】  測定中の組織から収集中の組織検知データを提示するシステム及び方法が提示され、組織検知データのオンライン及びオフラインで提示するように構成され、システムは、グラフィカルユーザインターフェースを表示するように構成され動作可能であるデバイスを備え、グラフィカルユーザインターフェースは少なくとも１つの観測フィールドを備え、測定組織属性値の１つ又は複数の検知データを含む組織検知データに応答し、測定組織属性値に対応する組織の２つの異なる特性パラメータのパラメータ空間の形態の、少なくとも１つの観測フィールドにおける仮想表現に各測定組織属性値を変換するように構成される。【選択図】図１
2021533896.tif 000002
【特許請求の範囲】
【請求項１】
収集中の組織検知データを提示するように構成され動作可能なシステムにおいて、前記システムはデバイスを備え、前記デバイスは、前記デバイスにグラフィカルユーザインターフェースを表示させるように機械可読命令により構成される１つ又は複数のハードウェアプロセッサを有し、前記グラフィカルユーザインターフェースは、少なくとも１つの観測フィールドを備え、測定組織属性値の１つ又は複数の検知データを含む、測定中の組織からの組織検知データに応答して、前記測定組織属性値に対応する組織の２つの異なる特性パラメータのパラメータ空間の形態の、前記少なくとも１つの観測フィールドにおける仮想表現に各測定組織属性値を変換するように構成されることを特徴とするシステム。
【請求項２】
請求項１に記載のシステムにおいて、前記測定組織属性は電気インピーダンスであることを特徴とするシステム。
【請求項３】
請求項２に記載のシステムにおいて、前記２つの異なる組織特性パラメータは、前記測定中の組織の導電率値及び誘電率値を含むことを特徴とするシステム。
【請求項４】
請求項１〜３の何れか１項に記載のシステムにおいて、前記グラフィカルユーザインターフェースは、前記組織検知データの前記仮想表現が前記少なくとも１つの観測フィールドにおいてリアルタイムで実行されるように前記組織検知データにリアルタイムで応答するように構成され動作可能であることを特徴とするシステム。
【請求項５】
請求項１〜４の何れか１項に記載のシステムにおいて、前記グラフィカルユーザインターフェースは、ユーザ入力に応答して、単独で又は前記組織検知データと一緒に、前記組織の前記２つの異なる特性パラメータの前記パラメータ空間に組織タイプのユーザ選択マップを前記少なくとも１つの観測フィールドに提示するように更に構成され動作可能であることを特徴とするシステム。
【請求項６】
請求項１〜５の何れか１項に記載のシステムにおいて、前記グラフィカルユーザインターフェースは、複数のセンサによる前記組織の異なるロケーションから測定された複数の検知データを含む前記組織検知データに応答し、前記観測フィールドに前記複数の検知データを同時に表示するように構成され動作可能であることを特徴とするシステム。
【請求項７】
請求項１〜６の何れか１項に記載のシステムにおいて、ユーザ入力、接続された外部デバイスからの入力に基づいて、又は自動的に前記組織検知データを選択的に記憶するように構成され動作可能な記憶ユーティリティを備えることを特徴とするシステム。
【請求項８】
請求項７に記載のシステムにおいて、前記グラフィカルユーザインターフェースは、ユーザ入力に応答して、前記記憶ユーティリティに記憶された前記組織検知データの少なくとも幾つかを単独で又は収集中の組織検知データと一緒にリアルタイムに前記少なくとも１つの観測フィールドに提示するように構成され動作可能であることを特徴とするシステム。
【請求項９】
請求項１〜８の何れか１項に記載のシステムにおいて、１つ又は複数のインデックスのインデックスデータを前記１つ又は複数の検知データの各々に割り当てるように構成され動作可能なインデックスユーティリティを備え、前記１つ又は複数のインデックスは、前記１つ又は複数の検知データの各々の１つ又は複数の測定特性を示すことを特徴とするシステム。
【請求項１０】
請求項９に記載のシステムにおいて、前記１つ又は複数の測定特性は、以下：測定時刻、測定源、測定セッションＩＤ、測定中の組織試料の取得、及びユーザ定義タグの１つ又は複数を含むことを特徴とするシステム。
【請求項１１】
請求項１０に記載のシステムにおいて、前記記憶ユーティリティは、ユーザ入力、接続された外部デバイスからの入力に基づいて、又は自動的に前記組織検知データを前記対応するインデックスデータと共に選択的に記憶するように構成され動作可能であることを特徴とするシステム。
【請求項１２】
請求項９〜１１の何れか１項に記載のシステムにおいて、前記グラフィカルユーザインターフェースは、前記測定特性の１つ又は複数を選択するユーザ入力に応答して、少なくとも、前記ユーザ選択の測定特性に対応する前記インデックスデータに関連付けられた前記組織検知データを前記少なくとも１つの観測フィールドに提示するように構成され動作可能であることを特徴とするシステム。
【請求項１３】
請求項９〜１１の何れか１項に記載のシステムにおいて、前記グラフィカルユーザインターフェースは、前記測定特性の１つを選択するユーザ入力に応答して、前記選択された測定特性に関連付けられた前記組織検知データの全てを前記少なくとも１つの観測フィールドに提示するように構成され動作可能であることを特徴とするシステム。
【請求項１４】
請求項９〜１３の何れか１項に記載のシステムにおいて、前記グラフィカルユーザインターフェースは、前記１つ又は複数の測定特性に応答し、前記測定特性の各々に対応する区別特徴と共に前記組織検知データを提示するように構成され動作可能であることを特徴とするシステム。
【請求項１５】
請求項１４に記載のシステムにおいて、前記区別特徴は、以下：前記組織検知データの前記仮想表現の形状、色、及びサイズの１つ又は複数を含むことを特徴とするシステム。
【請求項１６】
請求項１４に記載のシステムにおいて、前記グラフィカルユーザインターフェースは、以下：前記１つ又は複数の区別特徴、前記２つの組織特性パラメータの数値、及び接続された外部デバイスのグラフィカル表現の１つ又は複数を閲覧者に提示する１つ又は複数の追加の観測フィールドを更に備えることを特徴とするシステム。
【請求項１７】
請求項１〜１６の何れか１項に記載のシステムにおいて、前記グラフィカルユーザインターフェースは、前記組織検知データの前記測定組織属性の値に応答して、前記観測フィールドに提示された前記パラメータ空間の範囲を動的に定義するように構成され動作可能であることを特徴とするシステム。
【請求項１８】
請求項１〜１７の何れか１項に記載のシステムにおいて、前記グラフィカルユーザインターフェースは、以下：
前記パラメータ空間の範囲、
予め定義された領域への前記パラメータ空間の分割、
前記測定組織属性の予め定義された値若しくは値範囲又は前記２つの異なる組織特性パラメータの少なくとも一方に異なる色、形状、又はサイズの前記仮想表現を関連付けること、及び
前記測定組織属性値から導出された関数の提示
の１つ又は複数を選択又は定義するユーザ入力に応答するように構成され動作可能であることを特徴とするシステム。
【請求項１９】
収集中の組織検知データを提示する方法において、測定組織属性値の１つ又は複数の検知データを含む組織検知データをリアルタイムで受信することと、前記測定組織属性値を組織の２つの異なる特性パラメータのパラメータ空間にリアルタイムで変換することと、前記パラメータ空間をグラフィカルユーザインターフェースの対応する観測フィールドにおいて仮想的に表現することとを含むことを特徴とする方法。
【請求項２０】
請求項１９に記載の方法において、前記測定組織属性は電気インピーダンスであることを特徴とする方法。
【請求項２１】
請求項２０に記載の方法において、前記２つの異なる組織特性パラメータは、測定中の組織の導電率値及び誘電率値を含むことを特徴とする方法。
【請求項２２】
請求項１９〜２１の何れか１項に記載の方法において、組織タイプのユーザ選択マップを示すユーザ入力を受信することと、前記組織の前記２つの異なる特性パラメータの前記パラメータ空間に前記組織タイプのユーザ選択マップを仮想的に前記観測フィールドに提示することとを更に含むことを特徴とする方法。
【請求項２３】
請求項１９〜２２の何れか１項に記載の方法において、以下：ユーザ入力、外部デバイスからの入力の少なくとも一方に基づいて又は自動的に前記組織検知データを選択的に記憶することを更に含むことを特徴とする方法。
【請求項２４】
請求項２３に記載の方法において、ユーザ入力に基づいて前記記憶された組織検知データの少なくとも幾つかを前記観測フィールドに提示することを更に含むことを特徴とする方法。
【請求項２５】
請求項１９〜２４の何れか１項に記載の方法において、１つ又は複数のインデックスのインデックスデータを前記１つ又は複数の検知データの各々に割り当てることを更に含み、前記１つ又は複数のインデックスは、前記１つ又は複数の検知データの各々の１つ又は複数の測定特性を示すことを特徴とする方法。
【請求項２６】
請求項２５に記載の方法において、前記１つ又は複数の測定特性は以下：測定時刻、測定源、測定セッションＩＤ、測定中の組織試料の取得、及びユーザ定義タグの１つ又は複数を含むことを特徴とする方法。
【請求項２７】
請求項２６に記載の方法において、ユーザ入力、外部デバイスからの入力に基づいて又は自動的に、前記組織検知データを前記対応するインデックスデータと共に選択的に記憶することを更に含むことを特徴とする方法。
【請求項２８】
請求項２５〜２７の何れか１項に記載の方法において、前記測定特性の１つ又は複数を選択する入力をユーザから受信することと、少なくとも、前記ユーザ選択の測定特性に対応する前記インデックスデータに関連付けられた前記組織検知データを前記観測フィールドに提示することとを更に含むことを特徴とする方法。
【請求項２９】
請求項２５〜２７の何れか１項に記載の方法において、前記測定特性の１つを選択する入力をユーザから受信することと、前記選択された測定特性に関連付けられた前記組織検知データの全てを前記観測フィールドに提示することとを更に含むことを特徴とする方法。
【請求項３０】
請求項２５〜２９の何れか１項に記載の方法において、前記測定特性の各々に対応する区別特徴と共に前記組織検知データを提示することを更に含むことを特徴とする方法。
【請求項３１】
請求項３０に記載の方法において、前記区別特徴は以下：前記組織検知データの前記仮想表現の形状、色、及びサイズの１つ又は複数を含むことを特徴とする方法。
【請求項３２】
請求項３０に記載の方法において、前記グラフィカルユーザインターフェースの１つ又は複数の追加の観測フィールドにおいて、以下：前記１つ又は複数の区別特徴、前記２つの組織特性パラメータの数値、及び前記組織検知データを提供する外部デバイスのグラフィカル表現の１つ又は複数を提示することを含むことを特徴とする方法。
【請求項３３】
請求項１９〜３２の何れか１項に記載の方法において、前記組織検知データの前記測定組織属性の値に基づいて前記観測フィールドに提示される前記パラメータ空間の範囲を動的に定義することを含むことを特徴とする方法。
【請求項３４】
請求項１９〜３３の何れか１項に記載の方法において、以下：
前記パラメータ空間の範囲、
予め定義された領域への前記パラメータ空間の分割、
前記測定組織属性の予め定義された値若しくは値範囲又は前記２つの異なる組織特性パラメータの少なくとも一方に異なる色、形状、又はサイズの前記仮想表現を関連付けること、及び
前記測定組織属性値から導出された関数の提示
の１つ又は複数を選択又は定義するユーザ入力を受信することを更に含むことを特徴とする方法。
【発明の詳細な説明】
【技術分野】
【０００１】
本発明は医療デバイス分野にあり、特に、測定組織属性を表示するシステムに関する。
【背景技術】
【０００２】
幾つかの医療検査手順が現在、組織の特徴付け、例えば特定の疾患／癌の診断に使用されている。医師は、関わる組織を特徴付けるために、研究所検査、スキャン、又は生検をオーダーし得る。
【０００３】
体内の特定の物質のレベルが高い又は低いことは、疾患／癌の兆候であることができる。しかしながら、異常な研究所結果は疾患／癌の確かな兆候ではない。重要なツールではあるが、医師は疾患／癌を診断するのに研究所検査だけに頼ることはできない。
【０００４】
造影手順は、異常な組織（例えば腫瘍）が存在するか否かを医師が知るのに役立つことができる。これらには、例えば、ＣＴスキャン、Ｘ線スキャン、核スキャン、超音波、及びＭＲＩがある。
【０００５】
大半の場合、医師は、疾患の診断を可能にするために、生検を行う必要がある。従来の生検手順では、医師は、超音波等の造影技法のガイダンス下で疑いのある組織の１つ又は複数の試料を取り出す。次に病理医が、既に抽出された組織を顕微鏡下で見て、組織を特徴付ける。組織試料は、ニードルを使用して組織を引き出す又は手術の実行等の幾つかの方法で取り出し得る。
【０００６】
生検は、侵襲的手順であるため、好ましくは、わずか必要なだけであるが、それでもなお体内の疾患／腫瘍の程度についての十分な情報を与える組織を引き出すのに実行されるべきである。
【０００７】
本発明の譲受人に譲渡された国際公開第２００８０７２２３８号パンフレットには、（ａ）グループを定義するユーザ入力を受け入れるように構成されたグループ定義モジュールと、（ｂ）基板のステータスを示す複数の個人測定入力データを受信するように動作可能なデータ受信機と、（ｃ）個人測定入力データの各々をグループの１つに割り当てて、グループ化データを生成するように構成されたグループ化モジュールと、（ｄ）グループ化データを出力しユーザに提示するように構成された出力モジュールとを含むグラフィカルユーザインターフェース（ＧＵＩ）が記載されている。
【０００８】
これもまた本発明の譲受人に譲渡された国際公開第２０１４００９８９３号パンフレットには、測定軸に沿って所定の離間関係で配置された、センサのアレイから受信した信号に関連する情報を提示するように構成されたグラフィカルユーザインターフェースであって、提示される情報は、センサのアレイに対応する軸に沿って離間したロケーションのアレイ及びロケーションのアレイに関連した測定データの対応するアレイの形態であり、測定データのアレイはそれぞれ、センサのアレイから受信した信号を示し、それにより、センサのアレイと位置合わせされた組織塊に沿った測定組織プロファイルのプロファイルに関する情報をオペレータに提供するグラフィカルユーザインターフェースが開示されている。
【発明の概要】
【０００９】
本発明は、検査中の組織を特徴付ける新規のシステム及び方法を医師／医療スタッフに提供する。本発明の技法は、組織検査中、例えば生検手順中の即時判断において医師／医療スタッフを支援する。本発明のシステムは、入力として、１つ又は複数の組織属性を示すオンライン組織検知データを受信し、検知データを処理し、１つ又は複数の他の組織属性を含む出力データを生成し、出力データをグラフィカルインターフェースで有意味なように医師／医療スタッフに提示し、体／組織部分における検査下の領域から１つ又は複数の組織試料を取得する必要等の行動方針について医師／医療スタッフが判断できるようにする。
【００１０】
本発明のシステムは、システムに接続された１つ又は複数の組織特徴付けセンサから組織検知データを受信する。組織特徴付けセンサは、光学組織属性、音響組織属性、及び／又は電気組織属性等の１つ又は複数の組織特性を示す組織検知データを測定し収集する。幾つかの実施形態では、組織検知データは組織の電気インピーダンスを示す。そのような組織特徴付けセンサは、例えば、全て本発明の譲受人に譲渡された米国特許出願公開第２００３１３８３７８号明細書、米国特許出願公開第２０１２１２３２９６号明細書、及び米国特許出願公開第２０１５３０５６４９号明細書に記載されている。
【００１１】
本発明のシステムは、入力組織検知データを処理し、出力組織データとして、１つ又は複数の測定組織属性から導出／計算された組織特性パラメータの２つ以上、特に２つの値を生成する。
【００１２】
二次元又は三次元以上の出力組織データはグラフィカルインターフェースの適した観測フィールドにおいてユーザに提示され、ユーザが測定中の組織について判断できるようにする。例えば、ユーザは、組織特徴付けセンサを担持した、接続された生検デバイスを使用している場合、測定中の組織部分の試料の取得に関連するオンライン判断を行うことが可能である。出力組織データは、グラフィカルに、数値で、又は両方で提示することができる。
【００１３】
なお、組織特性パラメータの値の提示は必ずしも、組織における各測定ロケーション及び／又は行われた測定の順序に関連して又は関して観測フィールドに配置されるわけではない。
【００１４】
２つ以上の組織特性センサが使用される場合、システムは、例えば異なるグラフィカル識別子を異なるセンサに割り振ることにより異なるセンサを区別するように構成される。区別はグラフィカルに、例えば表示されたデータの色、サイズ、及び／又は形状により得ることができる。
【００１５】
本システムは、ユーザが出力組織データとシステムに既に／前に保存された既知の組織タイプを表すデータとを比較できるようにすることにより判断においてユーザを支援するようにも構成される。本システムには、１つ又は複数の保存された組織タイプマップが構成され、各組織タイプマップは出力組織データと同じパラメータ空間に構築され、脂肪組織、悪性組織のタイプ等の１つ又は複数野組織タイプを識別／定義する。
【００１６】
本システムは、測定セッション中、異なる時間に（順次）測定され処理された出力組織データの複数のアレイを保存し、それにより、過去組織検知データを保存できるようにし、保存されたいずれか１つのアレイをユーザが呼び戻せるようにするよう構成され動作可能である。出力組織データの保存は自動であってもよく、ユーザ入力時であってもよく、又は測定セッションにおける別の動作に起因してもよく、例えば生検デバイスが使用される場合、出力組織データは、ユーザが生検デバイスを操作して組織試料を収集するときはいつでも自動的に保存することができる。
【００１７】
したがって、本発明の広い態様によれば、収集中の組織検知データを提示するように構成され動作可能なシステムであって、システムはデバイスを備え、デバイスは、デバイスにグラフィカルユーザインターフェースを表示させるように機械可読命令により構成される１つ又は複数のハードウェアプロセッサを有し、グラフィカルユーザインターフェースは、少なくとも１つの観測フィールドを備え、測定組織属性値の１つ又は複数の検知データを含む、測定中の組織からの組織検知データに応答して、測定組織属性値に対応する組織の２つの異なる特性パラメータのパラメータ空間の形態の、少なくとも１つの観測フィールドにおける仮想表現に各測定組織属性値を変換するように構成されるシステムが提供される。
【００１８】
幾つかの実施形態では、測定組織属性は電気インピーダンスであり、２つの異なる組織特性パラメータは、測定中の組織の導電率値及び誘電率値を含む。
【００１９】
幾つかの実施形態では、グラフィカルユーザインターフェースは、組織検知データの仮想表現が少なくとも１つの観測フィールドにおいてリアルタイムで実行されるように組織検知データにリアルタイムで応答するように構成され動作可能である。
【００２０】
幾つかの実施形態では、グラフィカルユーザインターフェースは、ユーザ入力に応答して、単独で又は組織検知データと一緒に、組織の２つの異なる特性パラメータのパラメータ空間に組織タイプのユーザ選択マップを少なくとも１つの観測フィールドに提示するように更に構成され動作可能である。
【００２１】
幾つかの実施形態では、グラフィカルユーザインターフェースは、複数のセンサによる組織の異なるロケーションから測定された複数の検知データを含む組織検知データに応答し、観測フィールドに複数の検知データを同時に表示するように構成され動作可能である。
【００２２】
幾つかの実施形態では、本システムは、ユーザ入力、接続された外部デバイスからの入力に基づいて、又は自動的に組織検知データを選択的に記憶するように構成され動作可能な記憶ユーティリティを備える。グラフィカルユーザインターフェースは、ユーザ入力に応答して、記憶ユーティリティに記憶された組織検知データの少なくとも幾つかを単独で又は収集中の組織検知データと一緒にリアルタイムに少なくとも１つの観測フィールドに提示するように構成され動作可能であり得る。
【００２３】
幾つかの実施形態では、本システムは１つ又は複数のインデックスのインデックスデータを１つ又は複数の検知データの各々に割り当てるように構成され動作可能なインデックスユーティリティを備え、１つ又は複数のインデックスは、１つ又は複数の検知データの各々の１つ又は複数の測定特性を示す。１つ又は複数の測定特性は、以下：測定時刻、測定源、測定セッションＩＤ、測定中の組織試料の取得、及びユーザ定義タグの１つ又は複数を含み得る。記憶ユーティリティは、ユーザ入力、接続された外部デバイスからの入力に基づいて、又は自動的に組織検知データを対応するインデックスデータと共に選択的に記憶するように構成され動作可能であり得る。
【００２４】
幾つかの実施形態では、グラフィカルユーザインターフェースは、測定特性の１つ又は複数を選択するユーザ入力に応答して、少なくとも、ユーザ選択の測定特性に対応するインデックスデータに関連付けられた組織検知データを少なくとも１つの観測フィールドに提示するように構成され動作可能である。
【００２５】
幾つかの実施形態では、グラフィカルユーザインターフェースは、測定特性の１つ又は複数を選択するユーザ入力に応答して、選択された測定特性に関連付けられた組織検知データの全てを少なくとも１つの観測フィールドに提示するように構成され動作可能である。
【００２６】
幾つかの実施形態では、グラフィカルユーザインターフェースは、１つ又は複数の測定特性に応答し、測定特性の各々に対応する区別特徴と共に組織検知データを提示するように構成され動作可能である。区別特徴は、以下：組織検知データの仮想表現の形状、色、及びサイズの１つ又は複数を含み得る。グラフィカルユーザインターフェースは、以下：１つ又は複数の区別特徴、２つの組織特性パラメータの数値、及び接続された外部デバイスのグラフィカル表現の１つ又は複数を閲覧者に提示する１つ又は複数の追加の観測フィールドを更に備え得る。
【００２７】
幾つかの実施形態では、グラフィカルユーザインターフェースは、組織検知データの測定組織属性の値に応答して、観測フィールドに提示されたパラメータ空間の範囲を動的に定義するように構成され動作可能である。
【００２８】
幾つかの実施形態では、グラフィカルユーザインターフェースは、以下：
−パラメータ空間の範囲、
−予め定義された領域へのパラメータ空間の分割、
−測定組織属性の予め定義された値若しくは値範囲又は２つの異なる組織特性パラメータの少なくとも一方に異なる色、形状、又はサイズの仮想表現を関連付けること、及び
−測定組織属性値から導出された関数の提示
の１つ又は複数を選択又は定義するユーザ入力に応答するように構成され動作可能である。
【００２９】
本発明の別の広い態様によれば、収集中の組織検知データを提示する方法であって、測定組織属性値の１つ又は複数の検知データを含む組織検知データをリアルタイムで受信することと、測定組織属性値を組織の２つの異なる特性パラメータのパラメータ空間にリアルタイムで変換することと、パラメータ空間をグラフィカルユーザインターフェースの対応する観測フィールドにおいて仮想的に表現することとを含むことを特徴とする方法が提供される。
【００３０】
幾つかの実施形態では、本方法は、組織タイプのユーザ選択マップを示すユーザ入力を受信することと、組織の２つの異なる特性パラメータのパラメータ空間に組織タイプのユーザ選択マップを仮想的に提示することとを更に含む。
【００３１】
幾つかの実施形態では、本方法は、以下：ユーザ入力、外部デバイスからの入力の少なくとも一方に基づいて又は自動的に組織検知データを選択的に記憶することを更に含む。本方法は、ユーザ入力に基づいて記憶された組織検知データの少なくとも幾つかを観測フィールドに提示することを更に含み得る。
【００３２】
幾つかの実施形態では、本方法は１つ又は複数のインデックスのインデックスデータを１つ又は複数の検知データの各々に割り当てることを更に含み、１つ又は複数のインデックスは、１つ又は複数の検知データの各々の１つ又は複数の測定特性を示す。１つ又は複数の測定特性は以下：測定時刻、測定源、測定セッションＩＤ、測定中の組織試料の取得、及びユーザ定義タグの１つ又は複数を含み得る。本方法は、ユーザ入力、外部デバイスからの入力に基づいて又は自動的に、組織検知データを対応するインデックスデータと共に記憶することを更に含み得る。
【００３３】
本方法は、測定特性の１つ又は複数を選択する入力をユーザから受信することと、少なくとも、ユーザ選択の測定特性に対応するインデックスデータに関連付けられた組織検知データを観測フィールドに提示することとを更に含み得る。本方法は、測定特性の１つを選択する入力をユーザから受信することと、選択された測定特性に関連付けられた組織検知データの全てを観測フィールドに提示することとを更に含み得る。本方法は、測定特性の各々に対応する区別特徴と共に組織検知データを提示することを更に含み得る。区別特徴は以下：組織検知データの仮想表現の形状、色、及びサイズの１つ又は複数であり得る。本方法は、グラフィカルユーザインターフェースの１つ又は複数の追加の観測フィールドにおいて、以下：１つ又は複数の区別特徴、２つの組織特性パラメータの数値、及び組織検知データを提供する外部デバイスのグラフィカル表現の１つ又は複数を提示することを含み得る。
【００３４】
幾つかの実施形態では、本方法は、組織検知データの測定組織属性の値に基づいて観測フィールドに提示されるパラメータ空間の範囲を動的に定義することを含む。
【００３５】
幾つかの実施形態では、本方法は、以下：
−パラメータ空間の範囲、
−予め定義された領域へのパラメータ空間の分割、
−測定組織属性の予め定義された値若しくは値範囲又は２つの異なる組織特性パラメータの少なくとも一方に異なる色、形状、又はサイズの仮想表現を関連付けること、及び
−測定組織属性値から導出された関数の提示
の１つ又は複数を選択又は定義するユーザ入力を受信することを更に含む。
【００３６】
本明細書に開示される趣旨をよりよく理解し、それをいかに実施し得るかを例示するために、添付図面を参照して単なる非限定的な例として実施形態についてこれより説明する。
【図面の簡単な説明】
【００３７】
【図１】図１は、本発明の非限定的な実施形態による例示的なシステムをブロック図として示す。
【図２】図２は、本発明の非限定的な実施形態による本発明のシステムの例示的な特徴をブロック図として示す。
【図３】図３Ａ−３Ｇは、本発明のシステムの例示的な非限定的な特徴を組み込んだグラフィカルユーザインターフェースを例示する。
【発明を実施するための形態】
【００３８】
本発明により構成されたシステム１００の非限定的な例を示す図１を参照する。システム１００は、収集中の組織検知データ２０を提示するように構成され動作可能であり、グラフィカルユーザインターフェース１６０をデバイスに表示させるように構成された１つ又は複数のハードウェアプロセッサユニット（ＣＰＵ）１４０を有するデバイス１１０を含む。グラフィカルユーザインターフェース１６０は、少なくとも１つの観測フィールド１６２を含み、ｉｎ−ｖｉｖｏ又はｉｎ−ｖｉｔｒｏで測定中の組織１０から収集された組織検知データ２０に応答するように構成される。
【００３９】
組織検知データ２０は、１つ又は複数の測定組織属性ＭＴＰ値の１つ又は複数の検知データ２２を含む。デバイス１１０はそのＣＰＵ１４０により、測定組織属性ＭＴＰ値に対応する２つの異なる組織特性パラメータＴＣＰ１及びＴＣＰ２のパラメータ空間１６４の形態の、少なくとも１つの観測フィールド１６２における仮想表現ＶＰに各測定組織属性ＭＴＰ値（１つの組織検知データにより表される）を変換するように構成され動作可能である。図１では、３つの組織検知データＴＳＤがパラメータ空間１６４に表示される。
【００４０】
デバイス１１０は、特定のファームウェアがロードされた専用ハードウェアであってもよく、又は代替的には、特に設計されたプログラム（ソフトウェア）を走らせる汎用計算デバイスであってもよい。デバイス１１０は、ＧＵＩ１６０をユーザに提示することが可能なディスプレイ（図示せず）を含む。一般に、図２において以下に更に詳述するように、デバイス１１０は、組織検知データ２０を含む入力データを受信するように構成された入力ユーティリティと、処理ユニット１４０と、ＧＵＩ１６０を提示するように構成された出力ユーティリティとを含む。なお、幾つかの実施形態では、ユーティリティの各々は、ユーティリティの機能を制御するそれ自体のＣＰＵを有し、幾つかの他の実施形態では、１つのＣＰＵが２つ以上のユーティリティ／ユニット／モジュールに接続されてそれらを制御し得る。したがって、ＣＰＵという用語は広く解釈されるべきであり、本明細書では、コントローラ／制御ユニット等を意味し、ユーティリティ又はモジュールが、特定の動作若しくはプロセスを実行するか、又は特定の動作若しくはプロセスに応答するように構成されたものとして示される場合は常に、特定のユーティリティ又はモジュールを制御するＣＰＵが言及された動作若しくはプロセスの実行又は言及された動作若しくはプロセスへの応答を担当することが等しく意味される。
【００４１】
デバイス１１０は、入力ユーティリティ及び／又はＣＰＵの１つ又は複数により、組織検知データ２０である入力データの少なくとも一部を自動的に識別するように構成することができる。さらに、デバイス１１０は、入力ユーティリティ及び／又はＣＰＵの１つ又は複数により、１つ又は複数の組織特性センサを担持した外部デバイスのシステム１００への接続を自動的に識別し、それにより、組織検知データ２０を示す検知信号をそこから受信するように構成することができる。述べたように、組織検知データ２０は１つ又は複数の組織検知データ２２を含み、各組織検知データは特定の時間に１つのセンサにより提供することができる。組織検知データ２０は、複数の組織検知データ２２を含む場合、対応する複数の時点で１つのセンサにより提供されてもよく、又は複数のセンサにより同時に若しくは異なる時間に順次提供されてもよい。デバイス１１０はまた、以下に更に詳述するように、入力ユーティリティを介してユーザ入力を受け入れるように構成することもできる。
【００４２】
組織検知データ２０がデバイス１１０において受信されると、ＣＰＵ１４０は、１つ又は複数の測定組織属性ＭＴＰを示す組織検知データ２０を処理し、測定中の組織属性を識別する。非限定的な一例では、全ての組織検知データは１つの測定組織属性を示す。別の非限定的な例では、組織検知データは２つ以上の測定組織属性を示す。先に示したように、測定組織属性は、例えば、組織の光学属性、音響特性、及び／又は電気属性であることができる。ＣＰＵ１４０は、通常、特定の種類の組織特徴付けセンサから受信された各測定組織属性を識別し、関連する組織検知データを処理して、識別された測定組織属性に対応する少なくとも２つの異なる組織特性パラメータを特定する。例えば、測定組織属性が光学である場合、ＣＰＵ１４０は、組織光学データを処理し、例えば、以下：周波数、位相、強度、吸収度、反射度の２つ以上を特定するように構成される。特定の非限定的な一例では、図３に関連して以下に更に例示するように、測定組織属性は電気インピーダンスであり、ＣＰＵにより計算され特定された少なくとも２つの異なる組織特性パラメータは伝導率及び誘電率である。デバイス１１０は、ＣＰＵ及び／又は出力ユーティリティ（後述する）を介して、受信した各組織検知データ２２について、適した（二次元）パラメータ空間との特定された組織特性パラメータの１つ又は複数の対をグラフィカルユーザインターフェース１６０のグラフィカル観測フィールド１６２に提示するように構成される。受信した組織検知データにおいて２つ以上の測定組織属性（例えば、光学及び音響測定組織属性）が識別される場合、対応する数のグラフィカル観測フィールドをグラフィカルユーザインターフェースに生成し得、各フィールドは、識別可能な測定組織属性の各々１つに対応する２つの計算／導出された組織特性パラメータを提示する。
【００４３】
これより、本発明の非限定的な実施形態による、デバイス１１０の幾つかは任意選択的な異なるユーティリティ、モジュール、及びサブモジュールをより詳細に示す図２を参照する。
【００４４】
デバイス１１０は一般に、入力ユーティリティ１２０、処理ユーティリティ１３０、及び出力ユーティリティ１５０を含む。加えて、デバイス１１０は、組織検知データ若しくは組織検知データを示すデータ及び組織タイプマップを保存する記憶ユーティリティ１７０を含み、又は代替的には、デバイスが外部のリモートアクセス可能な記憶ユーティリティにアクセスできるようにするネットワーク通信ユーティリティ（図示せず）をデバイス１１０に構成することができる。
【００４５】
入力ユーティリティ１２０は、入力として、組織部分から測定された（ｉｎ−ｖｉｖｏ又はｉｎ−ｖｉｔｒｏ）組織検知データ２０を受け入れるように構成され動作可能な組織検知データモジュール１２２と、デバイスを使用している人から入力を受け入れるように構成され動作可能なユーザ入力モジュール１２４とを含む。
【００４６】
組織検知データモジュール１２２は、組織検知データ２０である入力データを自動的に識別するように構成することができる。さらに、組織検知データモジュール１２２は、１つ又は複数の組織特性センサを担持した外部デバイスのシステム１００への接続を自動的に識別し、それにより、組織検知データ２０を示す検知信号を外部デバイスから受信するように構成することができる。組織検知データモジュール１２２はまた、異なる組織特性センサにより収集された複数の組織検知データを区別するように構成することもできる。組織検知データモジュール１２２は、処理ユーティリティ１３０に接続され、組織検知データを処理のために処理ユーティリティ１４０に送信するように構成され動作可能である。
【００４７】
ユーザ入力モジュール１２４は多種多様な方法でユーザ入力を受信するように構成することができる。非限定的な一例では、ユーザはキーボード、マウス、又は他の同様のデバイスを使用して、データをデバイス１１０に入力することができる。別の非限定的な例では、ユーザはタッチインターフェースを使用してデータをデバイス１１０に入力することができ、タッチインターフェースは、グラフィカルユーザインターフェース１６０の一部を形成し、又はグラフィカルユーザインターフェース１６０に埋め込まれるタッチユーザ入力フィールド１６６として構成することができる。更に別の非限定的な例では、ユーザはオーディオインターフェース（特に図示せず）を使用して、データをデバイス１１０に入力することができる。ユーザ入力モジュール１２４は、以下に更に詳述するように、ＧＵＩ１６０に提示された情報及びデータに関連する種々のユーザ入力を入力するのに使用することができる。
【００４８】
処理ユーティリティ１３０は、１つ又は複数のロケーション／ユーティリティ（複数のＣＰＵがデバイスに存在する場合）に分散することができるＣＰＵ１４０を含む。各ＣＰＵは、処理（計算／導出）された少なくとも２つの異なる組織特性パラメータをＧＵＩ１６０の適したパラメータ空間に提示させるために、測定組織検知データ２０を受信し処理するのに必要な種々の動作を処理し実行するように構成され動作可能である。処理ユーティリティ１３０はまた、更に以下に詳述するように、組織検知データの処理及び提示に関連する機械可読命令を保存するように構成され動作可能な、非一時的メモリ及び／又はＲＡＭメモリの形態のメモリ１４２も含む。
【００４９】
出力ユーティリティ１５０は、ＧＵＩ１６０をユーザに表示するように構成し得、又はＧＵＩ１６０をユーザに表示するように構成されたディスプレイデバイスを含み得る。ＧＵＩ１６０は、上述したように、入力ユーティリティ１２０により受信された測定組織属性の各々について２つの異なる組織特性パラメータのパラメータ空間を表示するように各々構成された１つ又は複数のグラフィカル観測フィールド１６２を含む。さらに、ＧＵＩ１６０は、タッチによるユーザ入力を受け入れる１つ又は複数のフィールド１６６と、各行が、特定の組織特性センサを起点とする少なくとも２つの異なる組織特性パラメータを表示するように、例えばリスト形態で少なくとも２つの異なる組織特性パラメータの数値を表示するように構成された１つ又は複数の数値観測フィールド１６８とを含み得る。
【００５０】
デバイス１１０は一般に、組織検知データをＧＵＩ１６０にリアルタイムで表示するように構成され、生検手順中の組織取得についての判断等のリアルタイム判断を可能にする。しかしながら、デバイス１１０はまた、将来、ユーザ入力時にオフラインモードで参照し表示するために、各測定セッションで収集された組織検知データを保存するように構成することもできる。したがって、記憶ユーティリティ１７０は、受信した生の測定組織検知データ及び／又は処理（計算）された少なくとも２つの組織特性パラメータを保存するように構成された過去検知データモジュール１７４を含む。ユーザは次に、適したユーザ入力を使用して、ＧＵＩに表示するために、１つ又は複数の測定セッションの異なる時点中に取得された、保存された組織検知データの１つ又は複数を選択することができる。幾つかの実施形態では、記憶ユーティリティ１７０は、ユーザ入力に応答して、収集中の１つ又は複数の組織検知データを保存するように構成される。幾つかの実施形態では、入力ユーティリティ１２０は、生検デバイス等の接続されたハードウェアを識別し、ハードウェアから入力を受信するように構成されたハードウェア入力モジュール１２６を含み、記憶ユーティリティ１７０は、ハードウェア入力に応答して、収集中の１つ又は複数の組織検知データを保存するように構成される。例えば、生検手順中、生検デバイスの一部の適した移動による組織試料の収集は、データ保存を開始し、記憶ユーティリティ１７０に組織試料取得直前に収集された組織検知データを保存させるように命令する（例えば、デバイスのＣＰＵ１４０を介して）動作としてハードウェア入力モジュール１２６により識別することができる。代替的には、デバイス１１０は、測定セッション中の全ての測定組織検知データが自動的に又はユーザ入力時に記憶ユーティリティ１７０に保存されるように構成することができる。次にユーザは保存されたデータにアクセスし、単独であるか、それともリアルタイムデータと組み合わせてかに関係なく、保存されたデータをＧＵＩ１６０に選択的に表示することができる。ユーザは、以下に更に後述するように、種々の方法でデータを表示すること、例えば、複数の組織特性センサにより略同時に（定義された短い時間枠内で）収集された幾つか若しくは全ての組織検知データの表示又は異なる時間に同じ組織特性センサにより収集された幾つか若しくは全ての組織検知データの表示を選ぶことができる。
【００５１】
記憶ユーティリティ１７０はまた、ユーザ入力時に又は測定中の組織検知データの種類及び／又は実行中の測定セッションの種類に基づいて自動的にＧＵＩ１６０に表示することができる１つ又は複数の組織タイプマップを記憶するように構成され動作可能である組織タイプマップモジュール１７２を含むこともできる。各組織タイプマップは、組織特性パラメータ値がＧＵＩ１６０に表示されたパラメータ空間に合う１つ又は複数の組織他婦を含む。例えば、ＧＵＩ１６０に表示されたパラメータ空間が、導電率及び誘電率などの組織特性パラメータを含む場合、１つの保存された組織マップは、脂肪組織の導電率値及び誘電率値等の１つ又は複数の組織タイプの各々に対応する導電率値及び誘電率値の１つ又は複数の対を含むことができる。このようにして、組織タイプマップを単独で又はリアルタイムで収集された組織データと一緒にＧＵＩに表示することにより、ユーザは、局部的な処置を組織に適用すること及び／又は研究所で更に調べるために１つ又は複数の組織試料を収集すること等の測定中の組織に関連するオンライン判断を下すことができる。ユーザは、記憶ユーティリティに記憶された複数のマップの中から１つのマップを選択することができ、又はＧＵＩに表示するマップを自身で入力することができる。
【００５２】
デバイス１１０はまた、処理ユーティリティ１３０の一部として、１つ又は複数の測定特性を示す１つ又は複数のタグ（インデックス）で測定組織検知データの各々１つをタグ付けするように構成され動作可能な測定特性インデックスモジュール１４８を含むこともできる。タグ付け／インデックス付けはリアルタイムで又は続く段階で実行することができる。一般に、タグ付けの少なくとも幾つかはリアルタイムで行われる。受信した各組織検知データに割り当てることができる測定特性の非限定的な例には、測定時間、測定源（すなわち、組織検知データを供給した組織特性センサ）、特定の組織検知データに対応する組織試料採取動作：すなわち、組織試料がシステム１００に接続された生検デバイスにより収集されるときは常に、適したタグが、組織試料採取直前に測定された組織検知データに割り当てられるがある。さらに、デバイスは、組織検知データに割り振られるタグを定義するユーザ入力を受信するように構成し得る。非限定的な一例では、ユーザは、測定セッションの名称（ＩＤ）により、受信した組織検知データをタグ付けすることができる。組織検知データに割り振られる１つ又は複数のインデックスは組織検知データと一緒に保存することができ、ユーザが１つ又は複数の測定特性を選択して選び、選ばれた測定特性に対応する組織検知データを即座に又は遡及的にＧＵＩ１６０に表示できるようにする。
【００５３】
以下は測定特性のユーザ選択の非限定的な例である：収集された全ての組織検知データが表示される時間枠の選択、定義された時間枠中の特定の測定セッション又は全ての測定セッションにおいて表示する組織検知データの起点となる１つ又は複数の組織特性センサの選択。タッチユーザ入力フィールド１６６は、ユーザが測定特性、例えば数字として定義される測定セッションＩＤ、数字、ロゴ、又は視覚的に区別する特徴として定義される組織特性センサを選択できるようにするよう構成することができる。
【００５４】
処理ユーティリティ１３０はまた、ユーザが適用できるようにし、又は別の入力（ユーザからであるか、それとも接続されたハードウェアから（例えばハードウェア入力モジュール１２６を介して）に関係なく）に基づいて自動的に適用され、それにより、ＧＵＩ１６０へのデータ提示を管理する機械可読命令を含むこともできる。非限定的な一例では、表示される、関わる各組織特性パラメータについてのパラメータ空間の属性は、パラメータ空間属性モジュール１４６を通して特定することができる。例えば、範囲、単位、及び／又は提示方法（デカルト、極等）は、受信し提示される組織検知データ及び／又は計算／導出された組織特性パラメータに基づいて（ＧＵＩにより）自動的且つ動的に決定され表示することができ、又はユーザにより事前に又は測定セッション中に決定することができる。別の非限定的な例では、パラメータ空間は予め定義された領域に分割されて、データ提示及び／又は解釈を支援することができる。分割は、異なる領域に異なる色を使用することにより強調し得る。
【００５５】
処理ユーティリティの組織検知データ属性モジュール１４４は、ユーザ及び／又はシステム（及びＧＵＩ）がＧＵＩ１６０に提示された各組織検知データに区別特徴を割り当てられるようにする。例えば、異なる組織検知データに異なる形状、異なる色、及び／又は異なるサイズの仮想表現を割り当てることができ、それにより、ＧＵＩに同時に表示されるか、それとも順次表示されるかに関係なく、ユーザが異なる組織検知データを区別できるようにする。例えば、各組織検知データの仮想表現の形状、色、及び／又はサイズは一意であり、その他の組織検知データと異なることができ、ユーザが提示された異なる組織検知データを区別できるようにする。区別提示特徴を使用する非限定的な例には、異なる各組織特性センサを起点とする異なる組織検知データを異なる形状、異なる色、且つ／又は異なるサイズで表示することがある。特に、形状、色、又はサイズ区別特徴の１つのみを変更して、表示されている組織検知データを区別することができる。さらに、組織検知データ属性モジュール１４４はまた、ユーザが適したユーザ入力を介して、閾値超又は閾値未満の組織検知データ値が、形状、色、又はサイズである区別特徴を用いてＧＵＩに提示されるような、表示された組織検知データの閾値を決定できるようにすることもできる。さらに、組織検知データ属性モジュール１４４はまた、ユーザが適したユーザ入力を介して、測定され且つ／又は計算／導出された組織特性パラメータの内蔵関数を選択又は関数を定義できるようにすることもできる。方程式又はグラフの形態の関数は次に、ＧＵＩ１６０の関数観測フィールド１８２に表示することができる。
【００５６】
組織検知データ属性モジュール１４４はまた、ユーザが適したユーザ入力を介して、どの測定組織属性又は組織特性パラメータがＧＵＩにリアルタイムで表示されるべきか、それともオフラインモードで遡及的に表示されるべきかを決定できるようにもする。例えば、測定組織属性が光学応答である場合、ユーザは、以下の組織特性パラメータ：光学吸収度、光学反射度、光学透過度の任意の２つ以上を表示すると決定することができ、上記属性／特性パラメータの各々は強度又は周波数ドメインに表示することができる。
【００５７】
ＧＵＩ１６０は、組織検査手順に関連する動作に応答する追加の観測フィールドを有し得る。ＧＵＩ１６０におけるミッション観測フィールド１８４は、デバイス１１０に一旦接続された外部組織処理デバイスのグラフィカル表現を自動的に又はユーザ入力時に手動で表示するのに使用し得る。例えば、ミッション観測フィールド１８４は、組織特性センサアレイが搭載された又は搭載されていない生検デバイスのグラフィカル表現を表示し得る。組織特性センサは、グラフィカル観測フィールド１６２のパラメータ空間における組織検知データを区別するのに使用されるものと同じ区別特徴を用いて提示することができる。
【００５８】
これより、本発明の幾つかの実施形態による種々の観測フィールドを有するＧＵＩの非限定的な例を示す図３Ａ〜図３Ｇを参照する。本例は、組織電気インピーダンス属性を検知するように構成され動作可能な組織特性センサのアレイを担持する生検デバイスと併用される場合のデバイスの特徴の幾つかを示す。例示されたＧＵＩの種々の選択肢の説明を容易にするために、デバイス１１０及びＧＵＩ１６０の上述した特徴及び要素と同様の特徴及び要素には、１００だけ異なる同様の参照符号が与えられる。例えば、番号２６０はＧＵＩを提示し、番号２６４はＧＵＩ２６０に表示されるパラメータ空間を提示する。
【００５９】
図３Ａは、誘電率（ｘ軸上）及び導電率（ｙ軸上）である２つの計算された組織特性パラメータＴＣＰ１Ａ及びＴＣＰ２Ａのデカルト座標の形態のパラメータ空間２６４を含む１つ又は複数のグラフィカル観測フィールド２６２（１つが示される）が構成されたＧＵＩ２６０を示す。上述したように、ＴＣＰ１Ａ及びＴＣＰ２Ａはユーザにより定義することができ、又は幾つかの場合、システムに接続された特定の外部デバイスの識別に基づいて自動的に表示することができる。示されるように、二次元パラメータ空間２６４はまた、パラメータ空間に表示されることになる組織検知データの位置特定及び／又は解釈においてユーザを視覚的に支援するのに使用される正方形２６４Ｓを画定する格子線（任意選択的）により分割される。本発明のシステムに接続された外部生検デバイスのグラフィカル表現を表示するミッション観測フィールド２８４も示される。ＧＵＩ２６０のミッション観測フィールド２８４は、接続された外部デバイスの実際の状態を反映するように構成することができる。この場合、デバイスがまだ閉位置にある組織生検検査手順の開始時のＧＵＩが示される。生検デバイスのグラフィカル表現は動的であることができ、以下に更に説明するように、測定セッション中の生検デバイスの異なるオンライン状態に従う。
【００６０】
図３Ｂは、通常、ユーザ選択及び入力に基づいて又は代替的にユーザ若しくは接続されたハードウェアにより提供される入力データに基づいて処理ユーティリティ２７２Ａにより自動的に組織タイプマップ２７２Ａを表示するＧＵＩ２６０を示し、組織タイプマップ２７２Ａは通常、記憶ユーティリティ１７０に記憶される。この例に示されるように、表示された組織タイプマップは、胸部内の異なる組織タイプに対応する複数の導電率値−誘電率値対を含む。異なる組織タイプに対応する導電率値−誘電率値対は、例えば、文献で報告された値から又は前に実行され記憶ユーティリティ１７０に保存された測定値から取得される。異なる組織タイプに対応する導電率値−誘電率値対は、組織特性センサを担持した生検デバイスを用いてナビゲートする間、ユーザが検査された組織を識別するのに役立つ。
【００６１】
図３Ｃは、接続された生検デバイスによる組織特性手順の開始を示す。生検デバイスはまだ、閉状態であり、先端部に１つの組織特性センサを担持し、生検デバイスにおけるセンサのロケーションの仮想センサ表現ＶＳが、ミッション観測フィールド２８４におけるデバイス表現の脇に示されている。組織特性センサにより測定された組織検知データＴＳＤ１は、センサの仮想表現ＶＳの形状に一致する形状でパラメータ空間２６４に表示される。ＴＳＤ１の組織特性パラメータの値−誘電率及び導電率−がセンサの仮想表現ＶＳの脇に表示された数値観測フィールド２６８も図に示されている。ユーザが生検デバイスを検査される組織内部でナビゲートするにつれて、組織特性パラメータの値である誘電率及び導電率は変化し得、それに従ってパラメータ空間におけるＴＳＳＤ１のロケーションも変化する。
【００６２】
図３Ｄは生検デバイスの開状態を示し、開状態により、担持された複数の組織特性センサがアクティブ化され、ミッション観測フィールド２８４においてデバイスの横に仮想的に表現される。この特定の例では、生検デバイスは、開状態の生検デバイスではアクティブではないためここでは示されていない先端部センサに加えて５つのセンサを含む。示されるように、各センサは区別のために異なる形状で表現されている。各センサはＴＳＤを生成し、ＴＳＤは組織タイプマップと一緒にパラメータ空間に表示される。数値観測フィールドも５本線のリストを表示し、各線は誘電率及び導電率の値を含み、各センサの横に表示される。
【００６３】
ＧＵＩは使用される生検デバイスにおけるセンサ構成に適合するように構成し得ることに留意されたい。例えば、生検デバイスは先端部に組織特性センサを有さないことがある。この場合、図３ＣのＧＵＩ画面はＧＵＩの一部ではない。別の例では、図３Ｄに示される開構成で生検ニードルにより多数又はより少数のセンサがあり得る。
【００６４】
図３Ｅは、ユーザがオンライン組織検知データの表示と一緒に組織タイプマップの表示をいかにアクティブ化又は非アクティブ化することができるかを例示する。
【００６５】
図３Ｆは、測定セッション中、自動的に又はユーザからの入力により手動で記憶ユーティリティ１７０に組織検知データを保存し、保存されたデータをオンライン測定組織検知データと一緒に選択的に表示するという特徴を示す。示されるように、既に保存されたデータは、専用タッチボタンを介したユーザ選択及び入力時に、保存されたデータのグループを示す単純な番号が付されてタッチユーザ入力フィールド２６６に表示することができる。示されるように、オンラインデータは、異なる形状を有する、異なる組織特性センサを起点とする各組織検知データを用いて表示され、その間、前に収集され保存された５つ全ての組織検知データは同じ形状、例えば円で表示される。上述したように、測定され保存された各組織検知データは１つ又は複数の測定特性でタグ付けられる。この例では、ユーザは保存されたデータの表示に生検実行イベント（組織試料採取動作）インデックス付けを選ぶ。別の例では、ユーザは保存されたデータの表示に測定時インデックス付けを選び得る。換言すれば、前の測定セッション中又は測定セッションにおける時間枠中に保存された全ての組織検知データが表示される。したがって、保存された全てのデータは同じ形状で提示される。しかしながら、別の例では、ユーザが測定特性源の表示も選ぶ場合、異なる保存組織検知データは、組織検知データを収集したセンサを示す異なる形状で表示し得る。さらに、保存されたデータ及びオンラインデータは異なる色で表示することができ、それにより、表示されたデータのユーザ理解を更に促進する。オンラインデータと一緒に保存されたデータを表示することの用途の１つは、組織ロケーションが医療的に重要である場合、組織における特定の測定ロケーションにユーザが戻るのを助け、それにより、ユーザがそのロケーションにおける組織を治療又は試料採取できるようにすることである。システムのそのような能力は組織検知データＴＳＤ２により図に示されている。示されるように、２番目のセンサ（５つのセンサが上から下にカウントされる場合）からのオンラインデータの値は、センサの１つによって測定されたデータの保存された値と一致する。オンラインデータと一緒に保存されたデータを表示することの別の用途は、生検デバイスの今現在（リアルタイム）ロケーションから追加の生検試料を採取する必要があるか否かを評価するために、特定のタイプの組織が既に試料採取されたか否かをユーザが査定するのを助けることである。
【００６６】
図３Ｇは、グラフィカル観測フィールドのパラメータ空間に同時に表示する複数の保存データグループを選択するために、タッチユーザ入力フィールド２６６を使用するユーザの能力を例示する。これは、信号が、ミッション観測フィールド２８４に示されるように非アクティブであるいずれのセンサからも来ていないオフラインモード／状態である。示されるように、０１〜０５と付番された５つの組織検知データグループは既に保存されており、ユーザは任意のグループ又はグループの任意の組合せをパラメータ空間への表示に選択することができる。示される例では、ユーザは強調表示された保存グループ０１及び０３を表示に選択した。
【００６７】
オフラインモードは、接続された生検デバイスなしで又は生検デバイスに接続されない若しくは組織検知データを受信するように構成されないハードウェア構成（例えば、タブレット、デスクトップ、ラップトップ等の計算デバイス）を使用することにより実施することも可能なことを理解されたい。オフラインで分析される保存データグループは記憶ユーティリティ１７０から検索される。
【００６８】
したがって、本発明は、組織診断及び／又は治療についてのユーザ判断を支援するようにオンライン及びオフラインでデータを表示する包括的なツールをユーザに提供する。
【図１】
2021533896.tif 000003
【図２】
2021533896.tif 000004
【図３Ａ−３Ｂ】
2021533896.tif 000005
【図３Ｃ−３Ｄ】
2021533896.tif 000006
【図３Ｅ−３Ｆ】
2021533896.tif 000007
【図３Ｇ】
2021533896.tif 000008
【国際調査報告】
2021533896.tif 000009
2021533896.tif 000010